(57)【特許請求の範囲】
【請求項１】
光源ユニットと、器具本体とを備え、
前記光源ユニットは、ＬＥＤモジュールと、前記ＬＥＤモジュールを支持する支持部材と、前記ＬＥＤモジュール及び前記支持部材を内部に収容するケースとを備え、
前記支持部材は、第１面に前記ＬＥＤモジュールが取り付けられる底板を有し、
前記ケースは、前記底板の前記第１面と対向する第１部位と、前記底板の前記第１面と反対側の第２面と対向する第２部位と、前記第１部位と前記第２部位とを繋ぐ第３部位とを有し、前記第１面及び前記第２面と平行な方向において、前記第１部位及び前記第２部位の幅寸法よりも前記第３部位の幅寸法の方が大きくなるように構成され、
前記器具本体は、第１面が開口する箱状に形成され、前記ケースの前記第２部位の全部又は一部を前記第１面から内部に挿入した状態で前記光源ユニットを保持するように構成され、
さらに、前記器具本体は、前記第１面を囲む周縁の少なくとも一部分において、前記ケースに近付く向きに突出する突片を有することを特徴とする照明器具。
【請求項２】
前記突片は、前記周縁から前記ケースの前記第３部位に向かって傾斜するように構成されることを特徴とする請求項１記載の照明器具。
【請求項３】
前記ケースは、前記第１部位の全部と、前記第３部位の少なくとも一部とが透光性を有し、かつ、前記第２部位の全部が透光性を有しないように構成され、
前記器具本体は、前記ケースの前記第２部位の全部と、前記第３部位のうちで透光性を有しない部分とが、前記突片の先端よりも前記第１面に近くなるように、前記光源ユニットを保持することを特徴とする請求項１又は２記載の照明器具。
【発明の詳細な説明】
【技術分野】
【０００１】
本発明は、照明器具に関し、より詳細には、固体発光素子を光源とする光源ユニットと器具本体とで構成される照明器具に関する。
【背景技術】
【０００２】
従来例として、特許文献１記載の照明器具を例示する。特許文献１記載の照明器具（以下、従来例という）は、光源ユニットと、器具本体とで構成される。器具本体は、その下面に矩形の凹部が長手方向の全長に亘って設けられており、この凹部に光源ユニットを収容するように構成される。光源ユニットは、ＬＥＤモジュールと、ＬＥＤモジュールを支持する支持部材と、ＬＥＤモジュールを支持した支持部材を内部に収納する防水ケースと、電源装置と、取付具とを備える。支持部材は、長尺且つ矩形板状に形成された底板と、底板の短幅方向における両端から立ち上がる一対の側板とで構成される。ＬＥＤモジュールは、支持部材の底板に支持される。防水ケースは、ケース本体と２つのエンド部材及び防水パッキンで構成される。ケース本体は、透光性を有する合成樹脂材料で両端が開口した長尺の角筒状に形成され、その内部に、ＬＥＤモジュールを支持した支持部材を収容する。ケース本体は、ＬＥＤモジュールの発光面と対向する下側の周壁が下向きに突出した半円筒状に形成されている。つまり、この半円筒状の周壁を透過する際にＬＥＤの光の配光が制御される。エンド部材は、周壁をケース本体の長手方向の端部に被せるようにしてケース本体に取り付けられ、且つ固定金具を介してケース本体にねじ止めされる。
【先行技術文献】
【特許文献】
【０００３】
【特許文献１】特開２０１５−８８２４２号公報
【発明の概要】
【発明が解決しようとする課題】
【０００４】
ところで、特許文献１記載の従来例は、ケース本体の両側の側壁を外向きに突出させることにより、器具本体の凹部とケース本体との間の隙間を覆い隠すように構成されている。これに対して、市場では照明器具の更なる小型化の要望がある。
【０００５】
本発明は、上記課題に鑑みてなされており、従来よりも小型化を図ることを目的とする。
【課題を解決するための手段】
【０００６】
本発明の照明器具は、光源ユニットと、器具本体とを備え、前記光源ユニットは、ＬＥＤモジュールと、前記ＬＥＤモジュールを支持する支持部材と、前記ＬＥＤモジュール及び前記支持部材を内部に収容するケースとを備え、前記支持部材は、第１面に前記ＬＥＤモジュールが取り付けられる底板を有し、前記ケースは、前記底板の前記第１面と対向する第１部位と、前記底板の前記第１面と反対側の第２面と対向する第２部位と、前記第１部位と前記第２部位とを繋ぐ第３部位とを有し、前記第１面及び前記第２面と平行な方向において、前記第１部位及び前記第２部位の幅寸法よりも前記第３部位の幅寸法の方が大きくなるように構成され、前記器具本体は、第１面が開口する箱状に形成され、前記ケースの前記第２部位の全部又は一部を前記第１面から内部に挿入した状態で前記光源ユニットを保持するように構成され、さらに、前記器具本体は、前記第１面を囲む周縁の少なくとも一部分において、前記ケースに近付く向きに突出する突片を有することを特徴とする。
【発明の効果】
【０００７】
本発明の照明器具は、従来よりも小型化を図ることができるという効果がある。
【図面の簡単な説明】
【０００８】
【図１】本実施形態に係る照明器具の断面図である。
【図２】本実施形態に係る照明器具の分解斜視図である。
【図３】本実施形態に係る照明器具における光源ユニットの一部省略した斜視図である。
【図４】図４Ａは本実施形態に係る照明器具の正面図、図４Ｂは本実施形態に係る照明器具の平面図、図４Ｃは本実施形態に係る照明器具の左側面図である。
【図５】本実施形態に係る照明器具の断面斜視図である。
【発明を実施するための形態】
【０００９】
以下、本実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。また、以下の説明においては、特に断りのない限り、図２において上下、前後、左右の各方向を規定する。すなわち、照明器具の長手方向を左右方向とし、照明器具の短手方向を前後方向とし、照明器具の高さ方向を上下方向とする。
【００１０】
本実施形態に係る照明器具は、図１及び図２に示すように、光源ユニット２と、器具本体１とで構成される。本実施形態に係る照明器具は、防湿・防雨型の照明器具であって、集合住宅の開放廊下の天井や、屋外の駐輪場の軒下、倉庫のトラックヤードの軒下、湿気の多い食品工場の天井などに設置されることが好ましい。
【００１１】
器具本体１は、亜鉛鋼板などの金属板により、第１面（下面）が開口した長尺の直方体形状（箱状）に形成される。より詳細には、器具本体１は、天板１０と、一対の第１側壁１１Ａ、１１Ｂと、一対の第２側壁１２Ａ、１２Ｂとを有する（図２参照）。天板１０は、長尺の矩形平板状に形成される。なお、天板１０は、電源ケーブルが挿通される孔と、取付用のボルトが挿通される長孔とが、短手方向の中央かつ長手方向の中央と両端にそれぞれ設けられることが好ましい。一対の第１側壁１１Ａ、１１Ｂは、長手方向の寸法が天板１０の長手方向の寸法と等しい長尺の矩形平板状に形成される。一方の第１側壁１１Ａは、天板１０の前端から下向きに突出し、他方の第１側壁１１Ｂは、天板１０の後端から下向きに突出する。また、一対の第２側壁１２Ａ、１２Ｂは、長手方向の寸法が天板１０の短手方向の寸法と等しい矩形平板状に形成される。一方の第２側壁１２Ａは、天板１０の左端から下向きに突出し、他方の第２側壁１２Ｂは、天板１０の右端から下向きに突出する。なお、天板１０の長手方向の両端に、それぞれ取付台１３Ａ、１３Ｂが取り付けられる。取付台１３Ａ、１３Ｂは、天板１０に固定される固定片１３０と、固定片１３０から第２側壁１２Ａ、１２Ｂに沿って突出する縦片１３１と、縦片１３１の下端から内向きに突出する取付片１３２とを有する（図２参照）。そして、各取付片１３２には、それぞれねじ孔（雌ねじ）１３３が設けられている。
【００１２】
光源ユニット２は、図１〜図３及び図５に示すように、ＬＥＤモジュール３と、ＬＥＤモジュール３を支持する支持部材４と、ＬＥＤモジュール３を支持した支持部材４を内部に収容するケース５と、電源装置６と、固定具７と、取付具８とを備える。
【００１３】
ＬＥＤモジュール３は、左右方向に長い矩形板状に形成された基板（プリント配線板）３１を有する（図２及び図５参照）。基板３１は、いわゆるメタル基板若しくはセラミック基板で構成されることが好ましい。基板３１の下面には、複数のＬＥＤ（発光ダイオード）３０が長手方向（左右方向）に沿って、一定の間隔を空けて並ぶように実装されている（図１及び図５参照）。これら複数のＬＥＤ３０は、基板３１に形成される導体（銅箔）を介して電気的に直列接続される。また、基板３１に形成される導体は、基板３１に実装されるコネクタと、コネクタに電気的に接続される電線とを介して、電源装置６の出力端子と電気的に接続される。
【００１４】
支持部材４は、板金に曲げ加工を施すことで角樋状に形成される（図１〜図３参照）。すなわち、支持部材４は、長尺且つ矩形板状に形成された底板４０と、底板４０の短幅方向（前後方向）における両端から長手方向に沿って上向きに立ち上がる一対の側板４１とを有する。なお、上述したＬＥＤモジュール３は、例えば、支持部材４の底板４０の一部を切り起こすことで形成された爪によって支持部材４（の底板４０）の第１面（下面）に取り付けられる。
【００１５】
電源装置６は、電源基板と、電源基板を収納する収納ケース６０とを有する（図３参照）。電源基板は、左右方向に長い矩形板状に形成されたプリント配線板からなり、このプリント配線板には、少なくともＬＥＤ３０の点灯電力を生成するために必要な回路部品（例えば、トランスやダイオード、コンデンサなど）が実装されている。収納ケース６０は、長手方向（左右方向）の両端が開口する矩形箱状に形成されている。また、収納ケース６０は、例えば、ねじなどを用いて支持部材４（の底板４０）の第２面（上面）に取り付けられることが好ましい。
【００１６】
ケース５は、ケース本体５０と２つのエンド部材５１及び防水パッキン５２で構成される（図２参照）。ケース本体５０は、合成樹脂材料によって長手方向の両端が開口した長尺の筒状に形成され、その内部にＬＥＤモジュール３及び支持部材４を収容するように構成されている（図１及び図２参照）。なお、支持部材４は、後述するように３つの固定具７によってケース本体５０に固定される。
【００１７】
また、ケース本体５０は、長尺かつ平坦な後壁５００と、後壁５００の長手方向に沿った両端から下方へ突出する一対の側壁５０１と、一対の側壁５０１の下端同士を繋ぐ前壁５０２とを有する（図２参照）。ただし、一対の側壁５０１と前壁５０２との連結部分は、外側に突出する曲面形状に形成されている（図１参照）。また、一対の側壁５０１は、後壁５００から下に向かって互いに離れるように外側に湾曲している（図１参照）。さらに、前壁５０２は、両端から中央に向かって下向きに膨らむ半円筒形状に形成されている。ただし、ケース本体５０は、透光性を有する合成樹脂材料（アクリル樹脂やポリカーボネート樹脂など）と、透光性を有しない合成樹脂材料との２色押出成形によって形成されることが好ましい。ここで、透光性を有する合成樹脂材料で形成される部位を透過部５０３と呼び、透光性を有しない合成樹脂材料で形成される部位を不透過部５０４と呼ぶことにする（図１参照）。つまり、ＬＥＤモジュール３から放射される光は、透過部５０３を透過する際に配光制御される。なお、透過部５０３は、拡散材が混入されたり、多数の凹凸が形成されたりすることで光を拡散させるように構成されることが好ましい。
【００１８】
エンド部材５１は、図１〜図３に示すように、第１底壁５１０、第２底壁５１１、外周壁５１２、内周壁５１３並びにカバー部５１４を有する。第１底壁５１０は、厚み方向（左右方向）から見た外形が、ケース本体５０を左右方向から見た外形と相似する形状に形成される。第２底壁５１１は、厚み方向（左右方向）から見た外形が、ケース本体５０の透過部５０３を左右方向から見た外形と相似する形状（略半円形状）に形成される。外周壁５１２は、第１底壁５１０の周縁から全周に渡って突出する筒状に形成される。内周壁５１３は、外周壁５１２に対向して第１底壁５１０から突出する筒状に形成される。カバー部５１４は、第２底壁５１１の周縁の弧状の部分から第２底壁５１１の厚み方向に突出し、かつ、その表面を外周壁５１２の表面と同一の曲面（略半円筒面）とする形状に形成される（図２参照）。また、カバー部５１４の下面中央には、円筒形の凹部５１４０が設けられている（図２参照）。さらに、凹部５１４０の底壁には、円形の孔が形成されている。
【００１９】
防水パッキン５２は、シリコーン樹脂などの弾性を有する材料により、エンド部材５１の外周壁５１２及び内周壁５１３に相似した形状（筒状）に形成されている。そして、防水パッキン５２は、エンド部材５１の第１底壁５１０と外周壁５１２と内周壁５１３に囲まれた空間に圧入される（図１参照）。さらに、防水パッキン５２は、外周壁５１２及び内周壁５１３の先端から露出する面に全周に渡る溝５２０が設けられている。そして、この溝５２０にケース本体５０の長手方向における端部が圧入される（図１参照）。つまり、エンド部材５１とケース本体５０の隙間が防水パッキン５２によって密閉され、ケース本体５０内への水（雨水など）の浸入が抑制される。
【００２０】
固定具７は、固定片７０と、一対の取付片７１と、一対の側壁７２とを有する（図３参照）。ただし、３つの固定具７は全て同一の構造である。固定片７０は、矩形平板状に形成され、短手方向（左右方向）の一端（右端）と略中央にねじ孔７００がそれぞれ設けられる（図３参照）。
【００２１】
一対の取付片７１は、矩形平板状であって、固定片７０の前端及び後端から下向きに突出するように設けられる。また、各取付片７１には、鈎形の引掛部７３、球体を４等分に分割した形状の突起７４、並びに矩形の孔が設けられている（図１参照）。ただし、突起７４と孔は、引掛部７３の下方において左右方向に並ぶように配置されている。
【００２２】
一対の側壁７２は、矩形平板状であって、固定片７０の左端及び右端から下向きに突出するように設けられる。
【００２３】
固定具７は、引掛部７３を支持部材４の各側板４１の先端（上端）に引っ掛け、突起７４を各側板４１に設けられる孔に挿入し、かつ、各側板４１から曲げ起こされるかしめ片４１０を各取付片７１の孔にかしめて支持部材４に取り付けられる（図１及び図３参照）。なお、これら３つの固定具７は、支持部材４の長手方向（左右方向）の両端と中央にそれぞれ取り付けられることが好ましい（図３参照）。
【００２４】
取付具８は、図１〜図３に示すように、第１固定部８０と、第２固定部８１と、第１固定部８０と第２固定部８１を連結する連結部８２とが金属板を加工することで一体に形成される。第１固定部８０は、平坦な矩形板状に形成され、前後方向の中央に円錐台状の突部８００が設けられる。突部８００の天面には、円形のねじ挿通孔が貫通している。連結部８２は、前後方向から見てＬ形に曲げられている。第２固定部８１は、矩形平板状であって、連結部８２の下端から水平かつ外向きに突出するように構成される。第２固定部８１は、長手方向（前後方向）のほぼ中央に長孔状のねじ挿通孔８１０が設けられている（図３参照）。
【００２５】
次に、光源ユニット２の組立手順について説明する。まず、作業者は、ＬＥＤモジュール３や電源装置６、並びに３つの固定具７が取り付けられた支持部材４を、長手方向の一端側からケース本体５０内に挿入して収容する。さらに、作業者は、支持部材４に取り付けられている３つの固定具７にケース本体５０を固定する。すなわち、作業者は、ケース本体５０の後壁５００の長手方向の両端及び中央にそれぞれ設けられているねじ挿通孔に固定ねじ５３をそれぞれ挿通し、各固定片７０の一方のねじ孔７００に固定ねじ５３をねじ込む。
【００２６】
続いて、作業者は、取付具８の第２固定部８１のねじ挿通孔８１０に取付ねじ８３を挿通した後、防水パッキン５２を取り付けたエンド部材５１をケース本体５０の端部に被せる。そして、作業者は、エンド部材５１の上に取付具８を被せた状態で、取付具８の第１固定部８０のねじ挿通孔にねじを挿通し、このねじを、ケース本体５０の後壁５００に設けられる孔を通して、固定片７０の他方のねじ孔７００にねじ込む。つまり、取付具８が固定具７に固定（ねじ止め）されることにより、取付具８の連結部８２によってエンド部材５１と防水パッキン５２が抜け止めされる（図３参照）。以上のようにして、光源ユニット２が組み立てられる。
【００２７】
次に、照明器具の施工手順について説明する。作業者は、器具本体１を天井に取り付けた後、光源ユニット２の上部（２つの取付具８の第２固定部８１よりも上側の部分）を器具本体１の第１面（下面）の開口内に挿入する。そして、作業者は、エンド部材５１のカバー部５１４の凹部５１４０にドライバの軸を挿入し、凹部５１４０の底壁に設けられている孔を通して、第２固定部８１のねじ挿通孔８１０に挿通されている取付ねじ８３を締め込む。その結果、取付ねじ８３が、器具本体１の取付片１３２のねじ孔１３３にねじ込まれるので、取付具８の第２固定部８１が器具本体１の取付片１３２にねじ止め（固定）される。最後に、作業者は、カバー部５１４の表面に露出している凹部５１４０の口をテープなどで塞いで目隠しすることが好ましい。このようにして、光源ユニット２が器具本体１に取り付けられることで照明器具の施工が完了する(図４Ａ、図４Ｂ、図４Ｃ参照)。
【００２８】
ここで、ケース本体５０のうち、支持部材４の底板４０の第１面（下面）と対向する部位（透過部５０３の大部分）を第１部位５０５とする。また、ケース本体５０のうち、底板４０の第２面（上面）と対向する部位（不透過部５０４）を第２部位５０６とする。さらに、ケース本体５０のうち、第１部位５０５と第２部位５０６とを繋ぐ部位（透過部５０３の第１部位５０５以外の部分）を第３部位５０７とする（図１参照）。ケース本体５０は、第１面及び第２面と平行な方向（前後方向）において、第１部位５０５及び第２部位５０６の幅寸法よりも第３部位５０７の幅寸法の方が大きくなるように構成される。
【００２９】
ＬＥＤ３０から放射される光の一部は、底板４０の第１面に反射されてから第１部位５０５を通してケース本体５０の外に出射される。また、ＬＥＤ３０から放射される光の一部は、第１部位５０５の内周面に反射される。そして、第１部位５０５の内周面に反射された光の一部が、支持部材４の側板４１と第３部位５０７との間の空間に進行し、直接又は側板４１の表面に反射されて、第３部位５０７からケース本体５０の外に出射される。つまり、ＬＥＤ３０から放射された光が、側板４１の先端（上端）よりも上方に進行する可能性は非常に低いと考えられる。したがって、側板４１よりも上に存在する第２部位５０６を器具本体１内に収容し、かつ、第２部位５０６の幅寸法を第３部位よりも小さくすることにより、器具本体１の幅寸法（前後方向の長さ寸法）を相対的に小さくすることができる。
【００３０】
さらに、器具本体１は、第１面（開口面、すなわち、下面）を囲む周縁の少なくとも一部分（第１側壁１１Ａ、１１Ｂの下端）において、ケース５に近付く向きに突出する突片１４をそれぞれ有している（図１及び図２参照）。各突片１４は、第１側壁１１Ａ及び第２側壁１２Ａの下端において、長手方向の両端部を除くほぼ全体に渡って設けられている。つまり、光源ユニット２のケース本体５０と、器具本体１の第１側壁１１Ａ、１１Ｂの下端との間に隙間が生じるが、この隙間を、各突片１４で覆い隠すことができる（図４Ａ参照）。ゆえに、本実施形態に係る照明器具では、器具本体１の小型化を図ることができるとともに、器具本体１と光源ユニット２との境界部分の明るさ（輝度）の低下を抑制することができる。
【００３１】
上述のように本実施形態に係る照明器具は、光源ユニット２と、器具本体１とを備える。光源ユニット２は、ＬＥＤモジュール３と、ＬＥＤモジュール３を支持する支持部材４と、ＬＥＤモジュール３及び支持部材４を内部に収容するケース５とを備える。支持部材４は、第１面（下面）にＬＥＤモジュール３が取り付けられる底板４０を有する。ケース５は、底板４０の第１面（下面）と対向する第１部位５０５と、底板４０の第１面と反対側の第２面（上面）と対向する第２部位５０６と、第１部位５０５と第２部位５０６とを繋ぐ第３部位５０７とを有する。ケース５は、第１面及び第２面と平行な方向において、第１部位５０５及び第２部位５０６の幅寸法よりも第３部位５０７の幅寸法の方が大きくなるように構成される。器具本体１は、第１面（下面）が開口する箱状に形成される。器具本体１は、ケース５の第２部位５０６の全部又は一部を第１面から内部に挿入した状態で光源ユニット２を保持するように構成される。さらに、器具本体１は、第１面を囲む周縁の少なくとも一部分（第１側壁１１Ａ、１１Ｂの下端）において、ケース５に近付く向きに突出する突片１４を有する。
【００３２】
本実施形態に係る照明器具は上述のように構成され、突片１４によって器具本体１と光源ユニット２との境界部分の明るさの低下を抑制しつつ、器具本体１の小型化を図ることができる。
【００３３】
また、本実施形態に係る照明器具において、突片１４は、周縁からケース５の第３部位５０７に向かって傾斜するように構成されることが好ましい（図１参照）。
【００３４】
本実施形態に係る照明器具が上述のように構成されれば、突片１４の表面で反射した光を光源ユニット２の前方（下方）へ出射させることができ、器具本体１と光源ユニット２との境界部分の明るさの低下を更に抑制することができる。
【００３５】
さらに、本実施形態に係る照明器具において、ケース５は、第１部位５０５の全部と、第３部位５０７の少なくとも一部とが透光性を有し、かつ、第２部位５０６の全部が透光性を有しないように構成されることが好ましい。器具本体１は、ケース５の第２部位５０６の全部と、第３部位５０７のうちで透光性を有しない部分とが、突片１４の先端（下端）よりも第１面（下面）に近くなるように、光源ユニット２を保持することが好ましい。
【００３６】
本実施形態に係る照明器具が上述のように構成されれば、器具本体１と光源ユニット２との境界部分の明るさの低下を更に抑制することができる。
【符号の説明】
【００３７】
１  器具本体
２  光源ユニット
３  ＬＥＤモジュール
４  支持部材
５  ケース
１４  突片
４０  底板
５０５  第１部位
５０６  第２部位
５０７  第３部位
【図１】
0006481941.tif 000002
【図２】
0006481941.tif 000003
【図３】
0006481941.tif 000004
【図４】
0006481941.tif 000005
【図５】
0006481941.tif 000006